(57)【要約】【課題】フォークリフトによる荷役作業における荷崩れを防止し、安全性を向上するとともに、荷役作業にかかる負担を軽減する。【解決手段】フォークリフトの積荷に掛け回して荷崩れを防止する荷崩れ防止用ベルト１０において、中央部分１１の幅を両端部側の幅より広くし、裏面に滑り防止用素材１５を貼着し、中央部分１１と両端部分との間に、それぞれベルト長調節部１４ａ，１４ｂが設けられたベルト本体と、ベルト本体の端部に結合され、ベルト本体をフォークリフトのバックレストに係止するための係合フック１７ａ，１７ｂとを備える。【選択図】図１
0003107705.tif 000002
【実用新案登録請求の範囲】
【請求項１】
フォークリフトの積荷に掛け回して荷崩れを防止する荷崩れ防止用ベルトにおいて、
中央部分の幅を両端部側の幅より広くしたベルト本体と、
前記ベルト本体の端部に結合され、前記ベルト本体を前記フォークリフトのバックレストに係止するためのベルト側係合部とを備えること、
を特徴とする荷崩れ防止用ベルト。
【請求項２】
請求項１に記載の荷崩れ防止用ベルトにおいて、
前記ベルト側係合部を着脱自在に係止する係止部と、凹状溝を有し、前記凹状溝に挿入された前記バックレストの背面の枠又は桟を固定することができる固定部とを含むフォークリフト側係合部を備え、
前記フォークリフト側係合部が前記固定部によって前記枠又は桟に固定されている場合に、前記係止部が前記枠又は桟の脇において前記ベルト側係合部を係止するように、前記係止部及び前記固定部は結合されていること、
を特徴とする荷崩れ防止用ベルト。
【請求項３】
請求項１又は請求項２に記載の荷崩れ防止用ベルトにおいて、
前記ベルト本体は、少なくとも前記中央部分の積荷当接面に滑り防止用素材を貼着したこと、
を特徴とする荷崩れ防止用ベルト。
【請求項４】
請求項１から請求項３までのいずれか１項に記載の荷崩れ防止用ベルトにおいて、
前記ベルト本体には、前記中央部分と両端部の間のそれぞれに、少なくとも一個のベルト長調節部が設けられていること、
を特徴とする荷崩れ防止用ベルト。
【請求項５】
フォークリフトの積荷に掛け回した紐状物の係合部を前記フォークリフトのバックレストに係止するために前記バックレストに取り付ける係止具であって、
前記紐状物の係合部を着脱自在に係止する係止部と、
凹状溝を有し、前記凹状溝に挿入された前記バックレストの背面の枠又は桟を固定することができる固定部とを備え、
前記固定部によって前記枠又は桟に固定されている場合に、前記係止部が前記枠又は桟の脇において前記紐状物の係合部を係止するように、前記係止部及び前記固定部は結合されていること、
を特徴とする係止具。
【請求項６】
請求項５に記載の係止具において、
前記固定部は、前記凹状溝の一方の側面から略垂直方向で外面に貫通するねじ孔と、このねじ孔にねじ結合されているボルトとを有し、このボルトで前記凹状溝に挿入された前記枠又は桟を締め付けることによって固定し、
前記係止部は、単一棒状の素材を環状に整形した形状を有し、前記ねじ孔が設けられている外面の反対側の外面に、前記凹状溝に対して略垂直方向を向くように結合されていること、
を特徴とする係止具。
【考案の詳細な説明】
【技術分野】
【０００１】
本考案は、フォークリフトの積荷に掛け回して荷崩れを防止する荷崩れ防止用ベルト及び積荷に掛け回した紐状物をバックレストに係止する係止具に関するものである。
【背景技術】
【０００２】
従来、フォークリフトを使用する荷役作業において、ロール紙や、ドラム缶などの重量物を運搬する場合には、図６の斜視図に示すように、ロール紙２、ドラム缶３をフォークに直に積み込んで固定せず、減速運転のみで対応することもあったが、転落、落下の恐れが多いため、ロープ、ベルトなどの紐状物を積荷に掛け回し、その両端をフォークリフトに結び付けて荷崩れを防止していた。
【０００３】
しかし、荷物の上げ下ろしする際の紐状物をフォークリフトに結び付ける作業に時間がかかり、荷物の運搬効率が悪いという問題点があった。また、紐状物を積荷に掛け回す場合に、例えば、ダンボールのような積荷であれば締め付け過ぎて積荷を傷付けてしまうおそれがあった。更に、製紙会社などにおいて、ロール紙などの転がりやすい荷物を運搬する場合には、急停止、急発進などで積荷が転がり落下するおそれがあった。更にまた、高さが比較的高い荷物を運搬する場合には、荷物が転倒するおそれがあった。また、荷物の上げ下ろし時の荷崩れのおそれがあった。
これらの結果、安全性に欠けるという問題があった。
【考案の開示】
【考案が解決しようとする課題】
【０００４】
本考案の課題は、フォークリフトによる荷役作業における荷崩れを防止し、安全性を向上するとともに、荷役作業にかかる負担を軽減するための荷崩れ防止用ベルト及び係合具を提供することである。
【課題を解決するための手段】
【０００５】
本考案は、以下のような解決手段により、前記課題を解決する。なお、理解を容易にするために、本考案の実施形態に対応する符号を付して説明するが、これに限定されるものではない。
請求項１の考案は、フォークリフト（１）の積荷（２）に掛け回して荷崩れを防止する荷崩れ防止用ベルトにおいて、中央部分（１１）の幅を両端部側の幅より広くしたベルト本体（１１〜１６ａ，１６ｂなど）と、前記ベルト本体の端部に結合され、前記ベルト本体を前記フォークリフトのバックレスト（５）に係止するためのベルト側係合部（１７ａ、１７ｂ）とを備えること、を特徴とする荷崩れ防止用ベルト（１０）である。
【０００６】
請求項２の考案は、請求項１に記載の荷崩れ防止用ベルトにおいて、前記ベルト側係合部を着脱自在に係止する係止部（２４ａ、２４ｂ）と、凹状溝（２２ａ、２２ｂ）を有し、前記凹状溝に挿入された前記バックレストの背面の枠（５ａ）又は桟（６）を固定することができる固定部（２１ａ、２１ｂ）とを含むフォークリフト側係合部（２０）を備え、前記フォークリフト側係合部が前記固定部によって前記枠又は桟に固定されている場合に、前記係止部が前記枠又は桟の脇において前記ベルト側係合部を係止するように、前記係止部及び前記固定部は結合されていること、を特徴とする荷崩れ防止用ベルト（１０，２０）である。
【０００７】
請求項３の考案は、請求項１又は請求項２に記載の荷崩れ防止用ベルトにおいて、前記ベルト本体は、少なくとも前記中央部分の積荷当接面に滑り防止用素材（１５）を貼着したこと、を特徴とする荷崩れ防止用ベルト（１０）である。
【０００８】
請求項４の考案は、請求項１から請求項３までのいずれか１項に記載の荷崩れ防止用ベルトにおいて、前記ベルト本体には、前記中央部分と両端部の間のそれぞれに、少なくとも一個のベルト長調節部（１４ａ，１４ｂ）が設けられていること、を特徴とする荷崩れ防止用ベルト（１０）である。
【０００９】
請求項５の考案は、フォークリフト（１）の積荷（２）に掛け回した紐状物の係合部（１７ａ、１７ｂ）を前記フォークリフトのバックレスト（５）に係止するために前記バックレストに取り付ける係止具であって、前記紐状物の係合部を着脱自在に係止する係止部（２４ａ、２４ｂ）と、凹状溝（２２ａ、２２ｂ）を有し、前記凹状溝に挿入された前記バックレストの背面の枠（５ａ）又は桟（６）を固定することができる固定部（２１ａ、２１ｂ）とを備え、前記固定部によって前記枠又は桟に固定されている場合に、前記係止部が前記枠又は桟の脇において前記紐状物の係合部を係止するように、前記係止部及び前記固定部は結合されていること、を特徴とする係止具（２０）である。
【００１０】
請求項６の考案は、請求項５に記載の係止具において、前記固定部は、前記凹状溝の一方の側面から略垂直方向で外面に貫通するねじ孔と、このねじ孔にねじ結合されているボルト（２３ａ、２３ｂ）とを有し、このボルトで前記凹状溝に挿入された前記枠又は桟を締め付けることによって固定し、前記係止部は、単一棒状の素材を環状に整形した形状を有し、前記ねじ孔が設けられている外面の反対側の外面に、前記凹状溝に対して略垂直方向を向くように結合されていること、を特徴とする係止具（２０）である。
【考案の効果】
【００１１】
以上説明したように、本考案によれば、以下のような効果がある。
（１）ベルト本体の中央部分の幅を広げることによって、積荷との当接面が大きくなり、積荷の保持が強固となり、転がり、転倒、飛び出しなどによる荷崩れを確実に防ぎ、安全性を向上することができる。また、ダンボールのような積荷へのベルトの食い込みを防止することが可能となる。また、ベルト本体全体を幅広くした場合に比べ、積荷への掛け回し、未使用時の収納など、取り扱いが容易であるとともに、製造コストを低く抑えられる。
（２）係止部が枠又は桟の脇でベルト側係合部を係止するように、凹状溝に挿入されたバックレストの背面側の枠又は桟を固定することによって、積荷の荷重に耐える力が強く、係合部分（ベルト側係合部、係止部）によって積荷を傷つけるおそれがなく、係合の取り外し及び取り付けも容易に行うことができる。また、枠、桟の任意の場所にフォークリフト側係合部を固定することができるため、積荷に対してベルト本体を掛け回す高さ、ベルト本体の両端を係合する幅を調節することができ、荷崩れ防止効果を高めることができる。更に、フォークリフト側係止部が積荷の邪魔にならないため、使用の如何にかかわらず、常時バックレストに固定しておくことが可能である。
（３）ベルト本体の幅広部分の内側に滑り防止用素材を貼着することにより、ベルト本体と積荷間の摩擦が大きくなるので、一層、荷物の支持を確実にして荷崩れ防止効果を高めることができる。
（４）ベルト本体に、ベルト全体の長さを調節するために、幅広部分と両端部の間のそれぞれに、少なくとも一個のベルト長調節部を設けることにより、左右の２箇所で調節できるので、積荷の任意の部分に幅広部分を当てることができる。
（５）係止部が枠又は桟の脇でベルト側係合部を係止するように、凹状溝に挿入されたバックレストの背面側の枠又は桟を固定することによって、積荷の荷重に耐える力が強く、係合部分（紐状物の係合部、係止部）によって積荷を傷つけるおそれがなく、係合の取り外し及び取り付けも容易に行うことができる。また、枠、桟の任意の場所に係合具を固定することができるため、積荷に対して紐状物を掛け回す高さ、紐状物の両端を係合する幅を調節することができ、荷崩れ防止効果を高めることができる。更に、バックレストに固定していても積荷の邪魔にならないため、使用の如何にかかわらず、常時バックレストに固定しておくことが可能である。
（６）特に、ボルトで凹状溝に挿入された枠又は桟を締め付けて固定することによって、固定が強固のものとなり、荷重による係止具のずれを防止することが可能となる。また、凹状溝の側面から略垂直方向で外面に貫通するねじ孔にボルトがねじ結合されているため、ボルトの締め付け作業を容易に行うことができる。
【考案を実施するための最良の形態】
【００１２】
本考案は、フォークリフトによる荷役作業における荷崩れを防止し、安全性を向上するとともに、荷役作業にかかる負担を軽減するという目的を、中央部分の幅を両端部側の幅より広くし、裏面に滑り防止用素材を貼着し、中央部分と両端部分との間に、それぞれベルト長調節部が設けられたベルト本体と、ベルト本体の端部に結合され、ベルト本体をフォークリフトのバックレストに係止するためのベルト側係合部とを含む荷崩れ防止用ベルトと、ベルト側係合部を着脱自在に係止する係止部と、凹状溝を有し、凹状溝に挿入されたバックレストの背面の枠又は桟を固定することができる固定部とを含む係合具とを備え、固定部によって枠又は桟に固定されている場合に、係止部は、枠の脇においてベルト側係合部を係止することによって実現する。
【実施例】
【００１３】
以下、図面等を参照して、本考案の実施例をあげて、さらに詳しく説明する。
図１は、本考案による荷崩れ防止用ベルトを示す斜視図であって、図２は、本考案による係止具を示す斜視図である。また、図３は、フォークリフトのバックレストに図２の係止具を取り付けた状態の一部を示す斜視図である。なお、本実施例における係止具は、ベルト係止具２０Ａ，２０Ｂである。
図１に示すように、荷崩れ防止用ベルト１０は、中央部に幅の広い部分（以下、幅広部分という。）１１があり、その両側に通常の幅の左ベルト部１２ａと右ベルト部１２ｂが続いている。本実施例において、荷崩れ防止用ベルト１０のベルトの素材として、ターポリン材を使用し、左右ベルト部の幅が５０ｍｍであるのに対し、幅広部分１１の幅は１５０ｍｍとした。
【００１４】
幅広部分１１の裏面（使用時に積載荷物に当接する面）には、通常ノンスリップネットと称する滑り止め用素材１５を貼着してある。
左のベルト部１２ａは、ベルト長調節具１４ａを介して左のフック結合ベルト１３ａに結合されている。右のベルト部１２ｂは、ベルト長調節具１４ｂを介して右のフック結合ベルト１３ｂに結合されている。また、フック結合ベルト１３ａ，１３ｂの両端には、それぞれ、左側の係合フック１７ａ、右側の係合フック１７ｂが結合されている。
【００１５】
ベルト長調節具１４ａ、１４ｂは、カムバックルなど、それぞれ、幅広部分１１の左、右におけるベルトの長さを調節するためのベルト長調節部である。ベルト長調節具１４ａ，１４ｂを調整することによって、荷崩れ防止用ベルト１０の長さを調節し、荷崩れ防止用ベルト１０を掛け回した積荷を締め付けて抑えるとともに、幅広部分１１の防止用ベルト１０における位置（端部からの距離など）を調整することができる。
【００１６】
係合フック１７ａ，１７ｂは、フォークリフト１のフォーク４ａ，４ｂと固定関係にあるバックレスト５に荷崩れ防止用ベルト１０を係止するためのベルト側の係合部である（後述する図４参照。）。係合フック１７ａ，１７ｂのフックは、フック係合ベルト１３ａ，１３ｂのベルトの端を、フック根元の環の部分に通して折り返し、ベルト同士の重なった部分を縫合して固着している。また、この左右の折り返し部分には、それぞれコーナークロスと称する補強素材１６ａ、１６ｂを重ねて一緒に縫合されている。本実施例において、補強素材１６ａ，１６ｂの長さを２００ｍｍとした。この長さは、積荷の後部側（バックレスト側）の２箇所の角が当たる範囲をカバーする長さとすることが望ましい。
【００１７】
図２及び図３に示すように、フック係止具２０（左フック係止具２０Ａ、右フック係止具２０Ｂ）は、フォークリフトの積荷に掛け回した荷崩れ防止用ベルト１０と係合し、バックレスト５に係止するための係止具であって、係合フック１７ａを左フック係止具２０Ａに係合し、係合フック１７ｂを右フック係止具２０Ｂに係合させることによって、荷崩れ防止用ベルト１０の両端を、フォークリフトのバックレスト５に着脱自在に係止することができる。
フック係止具２０Ａは、ベルト係止部２４ａと、固定取付部２１ａとを備えている。
【００１８】
ベルト係止部２４ａは、単一棒状の素材を環状に形成した形状を有し、この環状部分に係合フック１７ａを引っ掛けて係止する。
固定取付部２１ａは、断面がコの字状のブロックであって、バックレスト５の背面の枠５ａを挿入して挟み込むことができる凹状の溝である凹状溝２２ａが一の面の端から端に貫通するように形成されている。固定取付部２１ａは、凹状溝２２ａの一方の側面から略垂直方向で外面に貫通するねじ孔と、このねじ孔にねじ結合されているボルト２３ａとを有している。ボルト２３ａがねじ結合されているねじ孔は、凹状溝２２ａの溝方向に渡って２箇所設けられている。
【００１９】
このボルト２３ａで凹状溝２２ａに挿入された枠５ａを締め付けることによってフック係止具２０Ａをバックレストの背面側の枠５ａに固定し、また、緩めることによって、取り外すことが可能となる。２箇所のボルト２３ａでフック係止具２０Ａを枠５ａに固定するため、１箇所で固定する場合に生じる、積荷の荷重によってフック係止具２０Ａが凹状溝２２ａの側面方向平面上における回転ずれを防止することが可能である。
また、ベルト係止部２４ａは、ねじ孔が設けられている外面の反対側の外面に凹状溝２２ａに対して略垂直方向を向くように、その根元が全周溶接などによって溶着され、固定されている。固定取付部２１ａでフック係止具２０Ａを枠５ａに固定した場合には、ベルト係止部２４ａは、枠５ａの脇で係合フック１７ａを係止することとなる。
なお、フック係止具２０Ｂは、フック係止具２０Ａと同様の構造を有するため、各部（２１ｂ、２２ｂ、２３ｂ、２４ｂなど）の説明は省略する。
【００２０】
図４は、本考案による荷崩れ防止用ベルト及び係止具を使用して、フォークリフトにより荷物を運搬する場合の状況を示す斜視図である。
図４に示すように、荷物の運搬を行う場合には、荷物の高さ、形状などに合わせて、フォークリフト１のバックレスト５の背面の枠５ａの最適位置にフック係止具２０Ａ、２０Ｂを取り付けてボルト２３ａ，２３ｂを締めて固定する。
荷崩れ防止用ベルト１０を積荷２に掛け回して、左右の係合フック１７ａ，１７ｂをそれぞれ左右のフック係止具２０Ａ，２０Ｂに係合し、左右のベルト部１２ａ，１２ｂがそれぞれ最適緊張状態となるまで、ベルト長調節具１４ａ，１４ｂで引き締め、積荷をバックレスト５側に押しつけて固定する。
この状態で、荷物を運搬し、荷物を下ろす場合には、双方又は一方の係合フック１７ａ，１７ｂをフック係止具２０Ａ，２０Ｂから外す。繰り返し同じ形状の荷物を運搬する場合には、係合フック１７ａ，１７ｂをフック係止具２０Ａ，２０Ｂに係合し、同様の作業を繰り返す。
【００２１】
このように本実施例によれば、荷崩れ防止用ベルト１０は、中央部分の幅が広いため、積荷との当接面が大きく、積荷の保持が強固となり、転がり、転倒、飛び出しなどによる荷崩れを確実に防ぐことが可能となった。また、ダンボールのような積荷へのベルトの食い込みを防止することが可能となった。更に、ベルト全体を幅広くした場合に比べ、積荷への掛け回し、未使用時の収納など、取り扱いが容易であり、製造コストを低く抑えることが可能である。
更にまた、ボルト２３ａで凹状溝に挿入された枠５ａを締め付けてフック係止具２０Ａを枠５ａに固定するため、フック係止具２０Ａを強固に固定し、積荷の荷重に耐える力が強くなり、荷重によるフック係止具２０Ａのずれを防止することが可能となった。
【００２２】
また、凹状溝２２ａの側面から略垂直方向で外面に貫通するねじ孔にボルト２３ａがねじ結合され、ベルト係止部２４ａが設けられている外面と反対側の外面にボルト２４ａの頭が位置するため、ボルト２３ａの締め付け作業を容易に行うことが可能となった。
更に、係止部が枠５ａの垂直方向に向き、枠５ａの脇で係合フック１７ａを係止するように、バックレスト５の背面側の枠５ａにフック係止具２０Ａを固定するため、係合フック１７ａ、ベルト係止部２４ａなどの係合部分が積荷を傷つけるおそれがなく、係合の取り外し及び取り付けも容易に行うことが可能となった。
更にまた、枠５ａの任意の場所にフック係止具２０Ａを固定することができるため、積荷に対してベルト本体を掛け回す高さを調節することができ、より確実に荷崩れを防止することが可能となった。
【００２３】
また、バックレスト５に固定していてもフック係止具２０Ａが積荷の邪魔にならないため、使用の如何にかかわらず、常時バックレスト５の背面の枠５ａに固定しておくことが可能となった。
更に、幅広部分１１の内側には、滑り防止用素材１５を貼着されているため、荷崩れ防止用ベルト１０及び積荷間の摩擦が大きくなり、積荷を確実に保持し、より確実に荷崩れを防止することが可能となった。
更にまた、荷崩れ防止用ベルト１０は、幅広部分と両端部の間のそれぞれにベルト長調節部１４ａ，１４ｂが設けられているため、全体長を調節することができるとともに、積荷の任意の部分に幅広部分１１を当てることができ、積荷を確実に保持し、より確実にて荷崩れを防止することが可能となった。
【００２４】
また、荷崩れ防止用ベルト１０の端の折り返し部分と一緒に重ねて補強用素材１６ａ，１６ｂを縫合することによって、折り返し部分を形成する（係合フック１７ａ，１７ｂを結合する）とともに、補強用部材を固着し、製造工程を簡略化することが可能となった。更に、直方体の積荷の運搬など、バックレスト５側の積荷の両端の角が当たる部分の強度を高め、ベルト側の損傷を防ぐことが可能となった。
【００２５】
（変形例）
以上説明した実施例に限定されることなく、種々の変形や変更が可能であって、それらも本考案の均等の範囲内である。例えば、ベルト本体の幅広部分１１、左右ベルト部１２ａ、１２ｂ、フック結合ベルト１３ａ、１３ｂのベルト用素材、および滑り止め用素材１５、補強用素材１６ａ、１６ｂなど、実施例に例示した素材について、いかなる素材を用いるかは限定されず、各部の機能に応じた種々の素材を使用することができる。
【００２６】
フック係止具２０は、凹状溝２２ａにバックレスト５の背面側の縦方向の枠に固定されるが、固定される位置は、これに限定されず、バックレスト５の背面側の横方向の枠、縦方向又は横方向の桟６（図３参照）を凹状溝２２ａに挿入し、桟６に固定されてもよい。
桟６の任意の場所にフック係合具６を固定することによって、積荷の幅に対して荷崩れ防止用ベルト１０の両端をバックレスト５に係合する位置の幅を調節することができ、より確実に荷崩れを防止することができる。
【００２７】
フック係止具２０Ａは、直方体から凹状溝２２ａを切り出した、断面がコの字状の形状を有するブロックであるが、これに限定されず、半球体から凹状溝２２ａを切り出した形状、半円柱（円柱を直径の面で切断した形状）から凹状溝２２を切り出した形状であってもよい。
【００２８】
荷崩れ防止用ベルト１０は、ベルト同士の重なった部分を縫合して固着し、折り返し部分を形成して係合フック１７ａ，１７ｂを結合するとともに、補強素材１６ａ，１６ｂを固着しているが、固着方法は、縫合に限定されず、接着によって固着してもよい。
また、補強素材１６ａ，１６ｂを折り返し部分のベルト同士の重複した部分の間に挟み込んで固着してもよく、重複する順は、限定されない。
更に、図５に示すように、先ず、フック結合ベルト１３ａのベルト同士の重なった部分を縫合して固着するとともに、係合フック１７ａを結合し、その後に筒状の補強素材１６ａに折り返し部を通して覆うように被せ、係合フック１７ａを先から出した状態でフック結合ベルト１３ａに縫合してもよい（二重縫合）。
補強素材１６ａは、二重でも三重でもよく、また、その固着方法は、限定されない。
なお、図５（ａ）は、荷崩れ防止用ベルトの端部を示す斜視図、図５（ｂ）は、荷崩れ防止用ベルトの端部の内部を示す斜視図である。
【００２９】
荷崩れ防止用ベルト１０は、既に提案済みの荷崩れ防止ベルト用収納袋（実用新案登録第３０６６３６３号に示すものなど）に収納して、収納の容易化を図ると共に袋をベルトにつけたまま作業できるようにしてもよい。
【図面の簡単な説明】
【００３０】
【図１】荷崩れ防止用ベルトを示す斜視図である。
【図２】係止具を示す斜視図である。
【図３】フォークリフトのバックレストに係止具を取り付けた状態の一部を示す斜視図である。
【図４】荷崩れ防止用ベルト及び係止具の使用状況を示す斜視図である。
【図５】荷崩れ防止用ベルトの変形例を示す斜視図である。
【図６】フォークリフトによる従来の運搬状況の例を示す斜視図である。
【符号の説明】
【００３１】
１  フォークリフト
２、３  積荷
４ａ、４ｂ  フォークの爪
５  バックレスト
５ａ  バックレスト背面の枠
６  桟
１０  ベルト本体
１１  中央部分（幅広部分）
１２ａ、１２ｂ  ベルト部
１３ａ、１３ｂ  フック結合ベルト
１４ａ、１４ｂ  ベルト長調節具
１５  滑り止め用素材
１６ａ、１６ｂ  補強用素材
１７ａ、１７ｂ  係合フック
２０、２０Ａ、２０Ｂ  フック係止具
２１ａ、２１ｂ  固定取付部
２２ａ、２２ｂ  凹状溝
２３ａ、２３ｂ  ボルト
２４ａ、２４ｂ  ベルト係止部
【図１】
0003107705.tif 000003
【図２】
0003107705.tif 000004
【図３】
0003107705.tif 000005
【図４】
0003107705.tif 000006
【図５】
0003107705.tif 000007
【図６】
0003107705.tif 000008